(57)【特許請求の範囲】
【請求項１】
(1)短日下生殖休眠性ヒメハナカメムシを短日条件下飼育し、該ヒメハナカメムシ成虫に産卵させた後、
(2)該卵を短日条件下飼育し、得られる成虫に産卵させる工程を繰り返すことにより累代飼育を行うことを特徴とする短日下生殖休眠性を呈さないヒメハナカメムシの調製方法。
【請求項２】
作物栽培地域に短日下生殖休眠性を呈さないヒメハナカメムシを放飼することを特徴とする害虫防除方法。
【請求項３】
(1)短日下生殖休眠性ヒメハナカメムシを短日条件下飼育し、該ヒメハナカメムシ成虫に産卵させた後、
(2)該卵を短日条件下飼育し、得られる成虫に産卵させる工程を繰り返すことによる累代飼育方法により調製される短日下生殖休眠性を呈さないヒメハナカメムシを用いる請求項２に記載の方法。
【請求項４】
作物栽培地域が屋内である請求項２または３に記載の方法。
【請求項５】
秋季、冬季ないし春季の作物栽培に施される請求項２〜４のいずれかに記載の害虫防除方法。
【発明の詳細な説明】
【０００１】
【発明の属する技術分野】
本発明は温室等の施設における栽培時に問題となる微小害虫の天敵昆虫として有用なヒメハナカメムシ、その調製方法、およびそれを用いる害虫防除方法に関する。
【０００２】
【従来の技術】
ヒメハナカメムシ（Orius属）は、難防除害虫であるアザミウマ類などの優れた天敵として知られており、かかる害虫の防除方法として、ナミヒメハナカメムシ、タイリクヒメハナカメムシ等の利用が試みられている。
これらのヒメハナカメムシの天敵昆虫としての活動期間は僅かに1ヶ月程度であり、また、中秋季〜早春季の短日条件下に幼虫時代を経過した成虫の産卵率が激減する、いわゆる、短日下生殖休眠性を呈するために、晩秋季から早春季にかけては、ハウス内においても、その正常な世代交代が行われない。その結果、晩秋季〜早春季における花卉、蔬菜、果樹等のハウス栽培が一層拡大しつつある昨今の状況の中で、当該時期においては、このようなヒメハナカメムシによる害虫防除が実質上できなくなってしまうという問題があった。
【０００３】
【発明が解決しようとする課題】
本発明の目的は短日下生殖休眠性を呈さないヒメハナカメムシおよびその選択飼育方法を提供することにある。
本発明の他の目的は、かかる短日下生殖休眠性を呈さないヒメハナカメムシを用いる害虫の防除方法を提供することにある。
【０００４】
【課題を解決するための手段】
本発明者らは、ヒメハナカメムシを用いる害虫防除について検討を重ねた結果、短日下生殖休眠性ヒメハナカメムシの飼育を短日条件下で累代にわたって行うことにより、短日下においても、その生殖休眠性を呈さないヒメハナカメムシが得られること、およびこのようにして調製されるヒメハナカメムシが秋季、冬季ないし春季の短日条件下での作物栽培時の害虫防除に優れた効果を発揮することを見いだし本発明に至った。
【０００５】
即ち、本発明は、短日下生殖休眠性を呈さないヒメハナカメムシ、その調製法としての、(1)短日下生殖休眠性ヒメハナカメムシを短日条件下飼育し、該ヒメハナカメムシ成虫に産卵させた後、(2)該卵を短日条件下飼育し、得られる成虫に産卵させる工程を繰り返すことにより累代飼育を行うことによる短日下生殖休眠性を呈さないヒメハナカメムシの調製方法および、作物栽培地域に短日下生殖休眠性を呈さないヒメハナカメムシを放飼することによる害虫防除方法に関するものである。
【０００６】
【発明の実施の形態】
以下、本発明を詳細に説明する。
本発明において、「短日条件下飼育」とは、一日当たりの昼時間（明期）が１２時間未満（夜時間（暗期）が１２時間以上）の条件での飼育を指し、自然環境における中秋季〜早春季にかけての条件下での飼育がこれに当たる。
また、「ヒメハナカメムシの飼育」とは、ヒメハナカメムシの卵、幼虫または成虫を飼い育てることをいい、「成虫に産卵させる」とは、成虫を飼育することによりその雌に卵を産ませることをいう。
【０００７】
本発明に使用されるヒメハナカメムシとしては通常、主として温帯地域に分布し短日下生殖休眠性を呈するものを挙げることができ、例えば、ナミヒメハナカメムシ、タイリクヒメハナカメムシ、ツヤヒメハナカメムシ、コヒメハナカメムシを挙げることができる。
短日下生殖休眠性のヒメハナカメムシはその種類、産地等により異なるが、長日条件下で幼虫時代を経過した成虫に比べ産卵雌率（雌成虫数に対する産卵した雌成虫数の割合）が一般的には、１／２〜１／１０程度となるものである。
【０００８】
飼育は通常、明期／暗期、温度、湿度等が調節可能な恒温恒湿器中に設置された飼育器中で行われ、かかる飼育器としては例えば、透明樹脂容器、透明ガラス容器等を挙げることができる。
飼育における短日条件は、自然光を用いて行うこともできるが、一般には蛍光燈、白熱電球等の室内照明などの人工照明を用いて、通常は、１日当たりの暗期が１２〜１８時間、好ましくは１３〜１６時間の範囲に調整して行われる。
飼育の温度は通常、１８〜３０℃、好ましくは２０〜２８℃である。湿度は通常、相対湿度２０〜８０％、好ましくは３０〜７０％である。
【０００９】
飼育における餌としては、例えば、スジコナマダラメイガ卵、コナダニ類、スリップス類、ハダニ類を挙げることができる。餌としてスジコナマダラメイガ卵等を与える際には予め殺卵処理したものを与えることが飼育環境を保つという点からは好ましい。また、ヒメハナカメムシへの給水方法としては、例えば、水分を含ませた脱脂綿を飼育器内に置いておく方法を挙げることができる。
飼育においてシェルターを用いることは共食い防止のために好ましく、その素材としては、種もみ、発泡プラスチック、ろ紙、段ボール等を挙げることができる。
【００１０】
ヒメハナカメムシの卵から成虫までの飼育及び、成虫による産卵時の飼育を同一飼育器内で行うこともできるが、ヒメハナカメムシの世代管理、飼育環境の保全等の点からは両者を分離して行うこと及び、世代別に飼育、産卵を行わせることが好ましい。このような態様としては、例えば、ある世代の卵を飼育器内に接種し、飼育して成虫となし、得られる成虫を別の飼育器に移し、飼育、産卵後、採卵し、飼育器の容量、卵の成虫化率等を勘案して採卵したものの全部または一部を、また別の飼育器中で飼育する方法を挙げることができる。
【００１１】
また、成虫の産卵においては、産卵用基材を飼育器内に置いておくことが好ましく、かかる基材としては、大豆、ソラマメ等の幼苗、ゼラニウム等の葉などを挙げることができる。
【００１２】
短日下生殖休眠性ヒメハナカメムシから短日下生殖休眠性を呈さないヒメハナカメムシを調製するのに要する期間は、その種類、産地等により異なるが、通常は約6ヶ月〜３年程度である。該生殖休眠性を呈さないヒメハナカメムシの確立は、明期１０時間／暗期１４4時間、温度２５℃条件で飼育、産卵させたときの産卵雌率（雌成虫数に対する産卵した雌成虫数の割合）を調査し、その比率が約６０％以上となることにより確認できる。
【００１３】
かくして得られる短日下生殖休眠性を呈さないヒメハナカメムシは、例えばピーマン、キュウリ、ナス、イチゴ、トマト等の果樹、蔬菜、花卉等の栽培、特にそれらのハウス栽培において、アザミウマ類、ダニ類、アブラムシ類等の害虫の防除、好ましくはアザミウマ類の防除に適用され、殊に、通常の短日下生殖休眠性の系統においては害虫防除ができなくなる晩秋季から冬季さらには早春季において有用となる。
害虫防除は通常、作物植物を定植後、または作物植物が発芽後、栽培地域内、例えばハウス内に、該短日下生殖休眠性を呈さないヒメハナカメムシ成虫を放飼することにより行われる。
放飼する該ヒメハナカメムシの数は害虫の発生状況、作物植物の密集度等を考慮して適宜決定される。
【００１４】
尚、該ヒメハナカメムシの生育に影響のない範囲において、例えばピリプロキシフェン、ブプロフェジン、ピメトロジン、アミトラズ、ミルベメクチン等の選択性殺虫剤、殺ダニ剤；ＢＴ剤、ボーベリア、バーティシリウム等の微生物殺虫剤；多くの殺菌剤等の化学防除剤を併用してもよい。また、オンシツツヤコバチ、チリカブリダニ、コレマニアブラバチ、ディグリファス イサエア（Digluphus isaea)、ダクヌーサ シビリカ (Dacunusa sibirica)、ヤマトクサカゲロウ、ククメリスカブリダニ、デジェネレンスカブリダニ 等の生物（天敵）農薬を併用することもできる。
【００１５】
以下、実施例及び試験例により、本発明をより詳細に説明するが、本発明は実施例、試験例のみに限定されるものではない。
【００１６】
参考例１
１９９５年１０月初旬に和歌山県那賀郡において、セイタカアワダチソウ上からタイリクヒメハナカメムシを約１００頭採集した。それに由来する原系統を確立し、長日（明期１４時間、暗期１０時間）、温度２５℃、湿度６０％の条件下で累代飼育を行っている。飼育方法は、次の通りである。
大型樹脂製容器（６００−９００ｍｌ）中に、水分を含ませた脱脂綿を入れ、その上に種もみ、または発泡スチロール小片を１００−２００ｍｌ入れる。そこに大豆幼苗に産卵させたタイリクヒメハナカメムシの卵をカップ当たり約５０−１００卵接種する。その後紫外線で殺卵処理を行ったスジコナマダラメイガ卵１回当たり約２００mgを週３回給餌して、長日（明期１４時間、暗期１０時間）、温度２５℃、湿度６０％の条件で約３週間飼育すると、次世代成虫が得られる。
次世代成虫を吸虫管にて採集し、前述と同じ方法で作成した別の大型樹脂容器に約５０頭放虫する。容器中には前述の殺卵済みスジコナマダラメイガ卵約２００ｍｇを給餌する。その中に大豆幼苗を入れ、前記と同じ条件で飼育すると、その茎の組織内に雌成虫が産卵を行う。３−４日毎に、産卵された大豆幼苗を取り出し、新しい幼苗と取り替え、採卵を約２〜３週間続ける。スジコナマダラメイガ卵の給餌も大豆幼苗の取り替えと同時に行う。
取り出した産卵された幼苗は、５０−１００卵ずつまとめて、前述と同様な方法で新たに作成した大型樹脂容器に入れ、次々世代の飼育を開始する。
以上の操作を繰り返し行う。
【００１７】
実施例１
(1)１９９６年４月より、参考例１に記載の方法で調製されたタイリクヒメハナカメムシを短日（明期１０時間、暗期１４時間）条件で累代飼育を行う。温度、湿度条件、および飼育方法については参考例１の場合と同様。１９９７年４月の時点においては産卵雌率が６０％を越えており、新系統が確立していることを確認した。確認方法を下記する。
【００１８】
(2)大型樹脂製容器（９００ｍｌ）中に、水分を含ませた脱脂綿を入れ、その上に発泡スチロール小片を２００ｍｌ入れる。そこに大豆幼苗に産卵させた実施例１(1)で得られた累代飼育タイリクヒメハナカメムシ卵をカップ当たり約１００卵を接種する。その後紫外線で殺卵処理を行ったスジコナマダラメイガ卵１回当たり約２００mgを週３回給餌して、短日（明期１０時間、暗期１４時間）、温度２５℃、湿度６０％の条件で約３週間飼育し、次世代成虫を得る。次世代成虫を吸虫管にて採集し、雌成虫１０頭を１頭毎に直径９ｃｍのシャーレ内に放虫し、脱脂綿に水をしみ込ませたものと、大豆幼苗をいれ、殺卵済みのスジコナマダラメイガ卵少量を給餌し、短日（明期１０時間、暗期１４時間）、温度２５℃、湿度６０％の条件で３週間飼育を続ける。大豆幼苗を３−４日毎に取り替え、実体顕微鏡下で産卵数の観察を行う。大豆幼苗を取り替えるときに同時に、脱脂綿への給水及び、給餌を行う。
結果を表１に示す。
【００１９】
尚、このようにして調製される新系統は、兵庫県宝塚市高司４−２―１住友化学工業農業化学品研究所内で、実施例１(1)の条件下、累代飼育、維持されている。
【００２０】
比較例１
参考例１に記載の方法により累代飼育された原系統のタイリクヒメハナカメムシ卵約１００卵を用いて、実施例１(2)と同一条件で飼育、採卵を行い、産卵数の観察を行う。
結果を表１に示す。
【表１】
0003879427.tif 000002
【００２１】
実施例２
１９９６年６月に兵庫県加西市のクローバ上より、ナミヒメハナカメムシを２００頭採集した。それを参考例１と同じ方法で、原系統を確立した。その後１９９６年８月から、実施例１と同じ方法で、短日条件下で飼育を開始した。１９９７年７月には産卵雌率が６０％を越えており、新系統が確立していることを確認した。
【００２２】
尚、このようにして調製された新系統は、兵庫県宝塚市高司４−２―１住友化学工業農業化学品研究所内で、実施例１(1)と同一条件下、累代飼育、維持されている。
【００２３】
試験例１
ピーマン（品種土佐ひかりＤ及び京ゆたか）を１９９７年９月２５日に、最低夜温を１８℃に設定したハウス（約２５０ｍ2）内に１２１株定植し、１１月２０日にクロロフェナピル１０％水和剤（商品名：コテツ水和剤）の２０００倍希釈液を散布し、その後ハウスを細かい網で半分に区切り２区を設定した。
【００２４】
１区（天敵放飼区）
１２月１１日に、実施例１に準じて得られるのタイリクヒメハナカメムシの新系統を２５０頭（２頭／ｍ2）放飼した。その後１２月２７日に該タイリクヒメハナカメムシ新系統をさらに２５０頭（２頭／ ｍ2）放飼した。この区を天敵（タイリクヒメハナカメムシ新系統）放飼区として設定した。この区では、アザミウマ類に対する殺虫剤防除を全く行わなかった。
【００２５】
２区（慣行防除区）
１２月２６日に、殺虫剤アセタミプリド２０％水和剤（商品名：モスピラン水和剤）の４０００倍希釈液を散布した。この２区を慣行防除区として設定した。その後１月３１日にアザミウマ類用追加防除殺虫剤としてアクリナトリン３％水和剤（商品名：アーデント水和剤）の１０００倍希釈液を散布した。
両区から収穫された、任意のピーマン５０果の被害果数を観察して、被害果率を求めた。結果を表２に示す。
【表２】
0003879427.tif 000003
【００２６】
上記に示すように、タイリクヒメハナカメムシの新系統は、冬季短日条件下のハウス内においても、ピーマンに寄生するアザミウマ類（主としてミカンキイロアザミウマ）対し高い防除効果を長期間示した。
【００２７】
【発明の効果】
本発明によれば、短日下においても、その生殖休眠性を呈さないヒメハナカメムシが得られる。また、このようにして調製されるヒメハナカメムシを作物栽培における害虫防除に適用すると、殊に、秋季、冬季ないし春季の短日条件においても優れた害虫防除効果を発揮する。